(57)【要約】【課題】  木痩せ等により発生した隙間に自動的に追随し得る機能を備えた自動隙間調整機構付き床束装置の提供。【解決手段】  回転部材による高さ調整機構付き床束装置に、弾性体蓄力方式の自動調整機構を設ける。この自動調整機構は、例えば、回転部材に対し床束の高さを高くする方向に回転力を蓄力させる弾性体と、当該床束装置設置後、前記弾性体を蓄力するワンウェイクラッチ機構とから構成される。【選択図】    図１
2005248449.tif 000002
【特許請求の範囲】
【請求項１】
ターンバックル式回転部材を回転させることにより高さ調整可能なターンバックル型床束装置、または回転ネジロッドを回転させることにより高さ調整可能なネジロッド型床束装置において、弾性体蓄力方式の自動調整機構を設けたことを特徴とする自動隙間調整機構付き床束装置。
【請求項２】
前記ターンバックル型床束装置における弾性体蓄力方式の自動調整機構は、前記ターンバックル式回転部材に対し床束の高さを高くする方向に回転力を蓄力させる弾性体と、当該床束装置設置後、前記弾性体を蓄力するワンウェイクラッチ機構とから構成された請求項１記載の自動隙間調整機構付き床束装置。
【請求項３】
前記ワンウェイクラッチ機構を当該床束装置の中間部もしくは基板側に設けた請求項２記載の自動隙間調整機構付き床束装置。
【請求項４】
大引き受けと一体のネジロッドと螺合するターンバックル式回転部材を回転させることにより高さ調整可能なターンバックル型床束装置において、前記回転部材の中間部に設けられ、一定方向に回転すると回転力が伝達され、反対方向に回転すると回転力が解除されるワンウェイクラッチ機構を備えた蓄力プレートと、前記蓄力プレートと基板との間の前記ターンバックル式回転部材に外嵌され、上端は前記蓄力プレートに、下端は前記基板にそれぞれ係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とする自動隙間調整機構付き床束装置。
【請求項５】
大引き受けと一体のネジロッドと螺合するターンバックル式回転部材を回転させることにより高さ調整可能なターンバックル型床束装置において、前記回転部材の下部に設けられ、一定方向に回転すると回転力が伝達され、反対方向には回転することが阻止されるワンウェイクラッチ機構を有する蓄力プレートと、上端が前記ターンバックル式回転部材に係止され、下端は前記蓄力プレートにそれぞれ係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とする自動隙間調整機構付き床束装置。
【請求項６】
回転ネジロッドを回転させることにより高さ調整可能なネジロッド型床束装置における前記弾性体蓄力方式の自動調整機構は、前記回転ネジロッドに対し床束の高さを高くする方向に回転力を蓄力させる弾性体と、当該床束装置設置後、前記弾性体を蓄力するワンウェイクラッチ機構とから構成された請求項１記載の自動隙間調整機構付き床束装置。
【請求項７】
前記ネジロッド型床束装置におけるワンウェイクラッチ機構を当該床束装置の中間部もしくは基板側に設けた請求項６に記載の自動隙間調整機構付き床束装置。
【請求項８】
大引き受けと一体的に螺合する回転ネジロッドを回転させることにより高さ調整可能なネジロッド型床束装置において、前記回転ネジロッドの中間部に設けられ、一定方向に回転すると回転力が伝達され、反対方向に回転すると回転力が解除されるワンウェイクラッチ機構を構成する蓄力プレートと、前記蓄力プレートと基板との間の前記回転ネジロッドに外嵌され、上端は前記蓄力プレートに、下端は前記基板にそれぞれ係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とする自動隙間調整機構付き床束装置。
【請求項９】
大引き受けと一体的に螺合する回転ネジロッドを回転させることにより高さ調整可能なネジロッド型床束装置において、前記回転部材の下部に設けられ、一定方向に回転すると回転力が伝達され、反対方向には回転することが阻止されるワンウェイクラッチ機構を有する蓄力プレートと、上端が前記回転ネジロッドに係止され、下端は前記蓄力プレートに係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とする自動隙間調整機構付き床束装置。
【請求項１０】
回転ネジロッドを回転させることにより高さ調整可能なネジロッド型床束装置において、前記回転ネジロッドに対し床束の高さを高くする方向に回転力を蓄力させる弾性体と、当該床束装置設置前に予め前記弾性体を蓄力し、かつ開放させる蓄力保持機構とを備えた自動隙間調整機構付き床束装置。
【請求項１１】
前記自動隙間調整機構付き床束装置における弾性体および蓄力保持機構を当該床束装置の基板側もしくは床側に設けた請求項１０に記載の自動隙間調整機構付き床束装置。
【請求項１２】
大引き受けと一体的に螺合する回転ネジロッドを回転させることにより高さ調整可能なネジロッド型床束装置において、前記回転ネジロッドに外装され、上端は当該ネジロッドに、下端は当該ネジロッドに螺着された基板にそれぞれ係止され、前記回転ネジロッドと基板に回転力を伝達する弾性体と、前記回転ネジロッドを前記弾性体に抗して所望角度回動させた状態で当該回転ネジロッドを固定する蓄力保持機構を備え、前記蓄力保持機構を開放することにより前記弾性体の蓄力にて前記回転ネジロッドに前記大引き受けを大引きに押圧させるための回転力が付与される仕組みとなしたことを特徴とする自動隙間調整機構付き床束装置。
【発明の詳細な説明】
【技術分野】
【０００１】
本発明は、木造建築において大引きと基礎間に設置されて大引きを支持する床束に係り、より詳しくは設置後の木痩せ等によって生じる隙間に自動的に追随する機能を備えた自動隙間調整機構付き床束装置に関するものである。
【背景技術】
【０００２】
木造建築における大引きを支持する床束としては、ターンバックル型とネジロッド型の２種類が知られている。このうち、ターンバックル型の床束としては、その一例を図１８に示すように、ターンバックル８１、該ターンバックルの内部に螺着した下ボルト８２および上ボルト８３、前記上下ボルトに螺着された固定用の下ナット８２−１および上ナット８３−１、前記下ボルト８２に固着された基板（設置プレート）８４、上ボルト８３に固着された大引き受け（受けプレート）８５、とから構成され、基礎８６と大引き８７との間に設置した後、ターンバックル８１を回転調整することで、該ターンバックルの内部に螺着した上下のボルト８２、８３を互いに接離する方向に移動させて、ボルト端部に固着された基板８４と大引き受け８７との間隔を変化させることで床面の高さを調整する方式である。８８は緩み防止の座金である。
【０００３】
また、ネジロッド型の床束は、前記ターンバックルに替えてネジロッドを用いた方式であり、その構造は図１９にその一例を示すように、両端部にそれぞれ逆方向のネジ９１、９２を有する回転ネジロッド９０と、該ネジロッド９０に螺着された下パイプ部材９３および上パイプ部材９４と、下パイプ部材９３に固着された基板（設置プレート）９５および上パイプ部材９４に固着された大引き受け（受けプレート）９６、とから構成され、基礎９７と大引き９８との間に設置した後、回転ネジロッド９０を回転調整することで、該ネジロッド９０の端部に螺着した上下パイプ部材９３、９４を互いに接離する方向に移動させて、基板９５と大引き受け９６との間隔を変化させることで床面の高さを調整する方式である（特許文献１等参照）。
【０００４】
一方、木造建築物は周知の通り、建築後年月の経過に伴い、木材が乾燥により収縮する本痩せを生じることがある。大引きに木痩せが生じると、大引きと大引き受けの間に隙間ができ、この隙間により大引きと根太に支持された床板の上を人が歩くと糺みが生じ、一般に“床鳴り”と称する現象が発生する。しかるに、前記した従来のターンバックル型やネジロッド型の床束は、前記した木痩せにより生じる隙間に自動的に対応できる機能を有していないため、その都度床下に潜り床束を再調整する作業が必要であった。しかしながら、施行後の床下で床束を調整する補修作業は困難を伴うのみならず費用もかかるため、木痩せにより生じる隙間に自動的に対応できる機能を備えた床束が求められていた。
【０００５】
そこで、かかる要望に対し、施行後に発生する隙間に自動的に対応できる自動隙間調整機構付き床束が提案されている（特許文献２等参照）。この自動隙間調整機構付き床束は、外筒と内筒、内筒に螺着された大引き受けとからなり、外筒と内筒の間に自動隙間調整機構が設けられ、その構造は前記外筒に一体的に外嵌されたケースに放射状に内装された押しばねにより押圧されて内筒に螺合する鋸歯状の押圧歯体とからなり、大引きに木痩せが発生すると該大引きに固定された大引き受けが引き上げられることにより、ばねの力で押圧されている押圧歯体が滑って１歯分（１ピッチ毎）ずつ係止位置が変わって隙間を埋める方式となしたものである。
【特許文献１】特開２００３−１３８６８３号公報
【特許文献２】特開平８−２４６５９５号公報
【発明の開示】
【発明が解決しようとする課題】
【０００６】
しかしながら、前記した自動隙間調整機構付き床束は、機構的に大引き受けが大引きに固定されて一体に上昇する方式であるから、大引き自体の木痩せによる大引き底面と大引き受け間に生じた隙間には対応することができないこと、また、上下方向の位置調整手段に鋸歯状の歯による係止方式を用いているため、１歯分（１ピッチ毎）ずつの断続的調整となり、大引き自体の木痩せにより生じた隙間に連続的に追随することができないこと等の構造的欠陥があり、木痩せにより生じる隙間に自動的に対応できる機能を十分に備えているとは言い得ないものである。
【０００７】
本発明は、前記した従来の自動隙間調整機構付き床束の欠点を解消するためになされたもので、木痩せにより大引きと大引き受け間に生じる隙間に自動的に追随し得る機能を備え、床鳴りを完全に防止できる自動隙間調整機構付き床束装置を提供することを目的とするものである。
【課題を解決するための手段】
【０００８】
本発明に係る自動隙間調整機構付き床束装置は、ターンバックル式回転部材を回転させることにより高さ調整可能なターンバックル型床束装置、または回転ネジロッドを回転させることにより高さ調整可能なネジロッド型床束装置に、弾性体蓄力方式の自動調整機構を設けたことを特徴とするものである。
【０００９】
ターンバックル型床束装置における前記弾性体蓄力方式の自動調整機構は、前記ターンバックル式回転部材に対し床束の高さを高くする方向に回転力を蓄力させる弾性体と、当該床束装置設置後、前記弾性体を蓄力するワンウェイクラッチ機構を備えた構成となすものである。なお、このターンバックル型床束装置における前記ワンウェイクラッチ機構は、当該床束装置の中間部、基板側のどちらに設けてもよい。
【００１０】
より具体的な自動隙間調整機構付き床束装置としては、大引き受けと一体のネジロッドと螺合するターンバックル式回転部材を回転させることにより高さ調整可能なターンバックル型床束装置において、前記回転部材の中間部に設けられ、一定方向に回転すると回転力が伝達され、反対方向に回転すると回転力が解除されるワンウェイクラッチ機構を備えた蓄力プレートと、前記蓄力プレートと基板との間の前記ターンバックル式回転部材に外嵌され、上端は前記蓄力プレートに、下端は前記基板にそれぞれ係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とするものである。
【００１１】
また、他のターンバックル型自動隙間調整機構付き床束装置として、大引き受けと一体のネジロッドと螺合するターンバックル式回転部材を回転させることにより高さ調整可能なターンバックル型床束装置において、前記回転部材の下部に設けられ、一定方向に回転すると回転力が伝達され、反対方向には回転することが阻止されるワンウェイクラッチ機構を有する蓄力プレートと、上端が前記ターンバックル式回転部材に係止され、下端は前記蓄力プレートにそれぞれ係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とするものである。
【００１２】
次に、前記回転ネジロッドを回転させることにより高さ調整可能なネジロッド型床束装置における前記弾性体蓄力方式の自動調整機構は、構成的には前記ターンバックル型床束装置のものと同様、回転ネジロッドに対し床束の高さを高くする方向に回転力を蓄力させる弾性体と、当該床束装置設置後、前記弾性体を蓄力するワンウェイクラッチ機構を備えた構成となすものである。なお、このネジロッド型床束装置におけるワンウェイクラッチ機構も、前記と同様、当該床束装置の中間部、基板側のどちらに設けてもよい。
【００１３】
このネジロッド型の自動隙間調整機構付き床束装置は、大引き受けと一体的に螺合する回転ネジロッドを回転させることにより高さ調整可能なネジロッド型床束装置において、前記回転ネジロッドの中間部に設けられ、一定方向に回転すると回転力が伝達され、反対方向に回転すると回転力が解除されるワンウェイクラッチ機構を構成する蓄力プレートと、前記蓄力プレートと基板との間の前記回転ネジロッドに外嵌され、上端は前記蓄力プレートに、下端は前記基板にそれぞれ係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とするものである。
【００１４】
また、他のネジロッド型自動隙間調整機構付き床束装置として、大引き受けと一体的に螺合する回転ネジロッドを回転させることにより高さ調整可能なネジロッド型床束装置において、前記回転部材の下部に設けられ、一定方向に回転すると回転力が伝達され、反対方向には回転することが阻止されるワンウェイクラッチ機構を有する蓄力プレートと、上端が前記回転ネジロッドに係止され、下端は前記蓄力プレートに係止された弾性体とを備え、前記蓄力プレートを回動させることにより前記弾性体が蓄力され、該弾性体の蓄力にて前記回転部材に前記大引き受けを大引きに押圧させる方向の回転力が付与される機構となしたことを特徴とするものである。
【００１５】
さらに、別のネジロッド型自動隙間調整機構付き床束装置として、回転ネジロッドを回転させることにより高さ調整可能なネジロッド型床束装置において、前記回転ネジロッドに対し床束の高さを高くする方向に回転力を蓄力させる弾性体と、当該床束装置設置前に予め前記弾性体を蓄力し、かつ開放させる蓄力保持機構を設けたことを特徴とするものである。なお、このネジロッド型自動隙間調整機構付き床束装置における弾性体および蓄力保持機構も、前記と同様、当該床束装置の基板側、床側のどちらに設けてもよい。
【００１６】
このネジロッド型自動隙間調整機構付き床束装置としては、大引き受けと一体的に螺合する回転ネジロッドを回転させることにより高さ調整可能なネジロッド型床束装置において、前記回転ネジロッドに外装され、上端は当該ネジロッドに、下端は当該ネジロッドに螺着された基板にそれぞれ係止され、前記回転ネジロッドと基板に回転力を伝達する弾性体と、前記回転ネジロッドを前記弾性体に抗して所望角度回動させた状態で当該回転ネジロッドを固定する蓄力保持機構を備え、前記蓄力保持機構を開放することにより前記弾性体の蓄力にて前記回転ネジロッドに前記大引き受けを大引きに押圧させるための回転力が付与される仕組みとなしたことを特徴とするものである。
【発明の効果】
【００１７】
本発明の自動隙間調整機構付き床束装置は、大引きに対して常に押圧力を付与することができる機構を備えているので、木痩せにより大引きと大引き受け間に隙間が発生しても自動的に追随し隙間を解消することができる。したがって、建築後年月の経過に伴い、木材が乾燥等により収縮する木痩せを生じても、常に隙間のない施工時と同じ適正な状態を保持することが可能となり、床鳴りをほぼ完全に防止でき、施行後の再調整の不要による経済的効果をもたらし、さらに木造建築物の耐久性の向上にも寄与し得る。
【発明を実施するための最良の形態】
【００１８】
図１〜図７は本発明装置の第１実施例を示し、図１は使用状態を示す正面図、図２は同上装置の縦断面図、図３は同上装置の動作状態を示す正面図、図４は図１のＡ−Ａ線上の横断平面図、図５は図１のＢ−Ｂ線上の横断平面図、図６は図３のＣ−Ｃ線上の横断平面図、図７は同上装置のワンウェイクラッチ機構を示す説明図、図８〜図１２は本発明装置の第２実施例を示し、図８は使用状態を示す正面図、図９は同上装置の縦断面図、図１０は図９のＤ−Ｄ線上の横断平面図、図１１は図９のＥ−Ｅ線上の横断平面図、図１２は同上装置のワンウェイクラッチ機構を示す説明図、図１３は本発明装置の第３実施例を示す図２相当図、図１４は本発明装置の第４実施例を示す図９相当図、図１５〜図１７は本発明装置の第５実施例を示し、図１５は使用状態を示す正面図、図１６は同上装置の縦断面図、図１７は図１６のＦ−Ｆ線上の横断平面図であり、１は大引き、２は根太、３は床板、４は基礎、１０は第１自動隙間調整機構付き床束装置、２０は第２自動隙間調整機構付き床束装置、３０は第３自動隙間調整機構付き床束装置、４０は第４自動隙間調整機構付き床束装置、５０は第５自動隙間調整機構付き床束装置である。
【００１９】
図１〜図７に示す第１自動隙間調整機構付き床束装置１０は、ターンバックル型床束装置であって、基礎４に固定された基板（設置プレート）１０−１、ターンバックル式回転部材１０−２、前記基板１０−１に固着され、前記回転部材の内部に螺着された左雄ネジ付き下ボルト１０−３と、右雄ネジ付き上ボルト１０−４、前記上ボルト１０−４に固着された大引き受け（受けプレート）１０−５、基板１０−１に固着されて前記回転部材１０−２に外嵌された支持外筒１０−６、前記回転部材１０−２に相対回転可能に外嵌された蓄力プレート１０−７、前記蓄力プレート１０−７の直上に位置し、前記回転部材１０−２の断面矩形部に上下方向にスライド可能に外嵌されて当該回転部材と一体に回転する固定プレート１０−８、前記支持外筒１０−６の部分に外嵌され、一端が前記蓄力プレート１０−７に、他端が前記基板１０−１にそれぞれ係止されたコイルバネ１０−９とで構成されている。
【００２０】
前記蓄力プレート１０−７は、短寸の内筒部１０−７ａと外筒部１０−７ｂとからなり、かつ内外筒部が底板でつながった構造の二重筒体で構成され、かつ外周の対称位置には回転操作用の突出凹部１０−７ｃが形成され、外筒部１０−７ｂの上面に前記固定プレート１０−８に回転を伝えるための斜面付き突起１０−７ｄが２個形成されている。一方、前記固定プレート１０−８には、前記蓄力プレート１０−７に形成した斜面付き突起１０−７ｄが係合離脱する円弧状係止孔１０−８ａが４個同一円周上に設けられている。すなわち、本発明装置は前記蓄力プレート１０−７の斜面付き突起１０−７ｄを固定プレート１０−８の円弧状係止孔１０−８ａに係合させた状態で蓄力プレート１０−７を時針方向に回転させると、固定プレート１０−８を介して前記回転部材（ターンバックル）１０−２が同じ方向に回転し、反対に蓄力プレート１０−７を前記コイルバネ１０−９に抗して反時針方向に回転させると斜面付き突起１０−７ｄの斜面の作用により前記回転部材１０−２の回転力が解除されるとともに、前記コイルバネ１０−９が蓄力されるワンウェイクラッチ機構を備えている。
【００２１】
上記構成の第１自動隙間調整機構付き床束装置１０の施工時、大引き受け（受けプレート）１０−５は釘等にて大引き１に固定され、基板（設置プレート）１０−１は接着剤等にて基礎４に固定される。そして、図１に示す状態（蓄力プレート１０−７の斜面付き突起１０−７ｄが固定プレート１０−８の円弧状係止孔１０−８ａに係合した状態）において、ターンバックル式回転部材１０−２を時針方向に回転させると当該回転部材のターンバックル効果により床束の全高が高くなり大引き１と基礎４間で突張る。この時、ターンバックル式回転部材１０−２と固定プレート１０−８は同じ時針方向に一体回転するが、前記蓄力プレート１０−７の斜面付き突起１０−７ｄの斜面の作用により固定プレート１０−８は上昇し回転力が解除され（図７）、コイルバネ１０−９には回転力は伝達されない。次に、蓄カプレート１０−７をコイルバネ１０−９に抗して反時針方向に回転させると、斜面付き突起１０−７ｄの斜面の作用により固定プレート１０−８が上昇し（図３、図７）、さらに蓄カプレート１０−７を回転させることにより斜面付き突起１０−７ｄと固定プレート１０−８の円弧状係止孔１０−８ａが回転方向で一致すると、固定プレート１０−８は蓄カプレート１０−７の斜面付き突起１０−７ｄと係合可能な高さまで下降し、蓄カプレート１０−７の斜面付き突起１０−７ｄの垂直面と固定プレート１０−８の円弧状係止孔１０−８ａが係合することにより、蓄カプレート１０−７を回動させた角度分コイルバネ１０−９が蓄力される。したがって、大引き１が木痩せにより収縮し隙問が生じた場合、コイルバネ１０−９の蓄力が固定プレート１０−８を介してターンバックル式回転部材１０−２を時針方向に回転させ当該床束の全高を高くする。つまり、コイルバネ１０−９の蓄力によりターンバックル式回転部材１０−２に大引き受け１０−５を大引き１に押圧させるための回転力が常に付与されることにより、木痩せによる隙間を自動的に解消することができる。
【００２２】
次に、図８〜図１２に示す第２自動隙間調整機構付き床束装置２０は、前記と同じターンバックル型床束装置であるが、その構造は、基礎４に固定された基板（設置プレート）２０−１、ターンバックル式回転部材２０−２、前記基板２０−１に固着され、前記回転部材の内部に螺着された左雄ネジ付き下ボルト２０−３と、右雄ネジ付き上ボルト２０−４、前記上ボルト２０−４に固着された大引き受け（受けプレート）２０−５、前記回転部材２０−２に外嵌された支持外筒２０−６、前記支持外筒２０−６に上下方向にスライド可能に外嵌され、基板２０−１上に摺接可能に載置された蓄力プレート２０−７、前記回転部材２０−２の断面矩形部に外嵌固着されて当該回転部材と一体に回転する固定プレート２０−８、前記支持外筒２０−６の部分に外嵌され、一端が前記蓄力プレート２０−７に、他端が前記固定プレート２０−８にそれぞれ係止されたコイルバネ２０−９とで構成されている。
【００２３】
この床束装置２０における蓄力プレート２０−７は、円筒部２０−７ａの周面の一部に回転操作用の突出凹部２０−７ｂが形成された断面凹形の部材からなり、基板２０−１には形成した２個の斜面付き突起２０−１ａが係合離脱する円弧状係止孔２０−７ｃが４個同一円周上に設けられている。すなわち、蓄力プレート２０−７を反時針方向に回転させると、基板２０−１に形成した斜面付き突起２０−１ａを蓄力プレート２０−７に設けられた円弧状係止孔２０−７ｃが係合して回転を阻止し、蓄力プレート２０−７を時針方向に回転させると斜面付き突起２０−１ａの斜面の作用により前記コイルバネ２０−９が蓄力されるワンウェイクラッチ機構を備えている。
【００２４】
上記構成の第２自動隙間調整機構付き床束装置２０の場合は、図８に示す状態（基板２０−１に形成した斜面付き突起２０−１ａが蓄力プレート２０−７に設けた円弧状係止孔２０−７ｃに係合した状態）において、ターンバックル式回転部材２０−２を時針方向に回転させると当該回転部材のターンバックル効果により床束の全高が高くなり大引き１と基礎４間で突張る。この時、ターンバックル式回転部材２０−２と固定プレート２０−８は同じ時針方向に一体回転するが、前記基板２０−１に形成した斜面付き突起２０−１ａの斜面の作用により蓄力プレート２０−７が上昇し回転力が解除され、コイルバネ２０−９には回転力は伝達されない。次に、蓄カプレート２０−７をコイルバネ２０−９に抗して時針方向に回転させると、基板２０−１に形成した斜面付き突起２０−１ａの斜面の作用により当該蓄カプレート２０−７が上昇し、さらに蓄カプレート２０−７を回転させることにより斜面付き突起２０−１ａと円弧状係止孔２０−７ｃが回転方向で一致すると、蓄カプレート２０−７は基板２０−１に形成した斜面付き突起２０−１ａと係合可能な高さまで下降し、斜面付き突起２０−１ａの垂直面と蓄カプレート２０−７の円弧状係止孔２０−７ｃが係合することにより、蓄カプレート２０−７を回動させた角度分コイルバネ２０−９が蓄力される。したがって、大引き１が木痩せにより収縮し隙問が生じても、コイルバネ２０−９の蓄力が固定プレート２０−８を介してターンバックル式回転部材２０−２を時針方向に回転させ当該床束の全高を高くするので、ターンバックル式回転部材２０−２に大引き受け２０−５を大引き１に押圧させるための回転力が常に付与されることとなり、木痩せによる隙間が自動的に解消される。
【００２５】
また、図１３に示す第３自動隙間調整機構付き床束装置３０は、前記図１〜図７に示す第１自動隙間調整機構付き床束装置１０を回転ネジロッドを回転させることにより高さ調整可能なネジロッド型床束装置に適用したもので、その構造は、基礎４に固定された基板（設置プレート）３０−１、左雄ネジ付き下端部が前記基板３０−１に固着された下接続パイプ３０−４ａに螺着され、右雄ネジ付き上端部が大引き受け（受けプレート）３０−５に固着された上接続パイプ３０−４ｂに螺着されたネジロッド３０−２、前記ネジロッド３０−２の中間部に形成された矩形断面部３０−３、基板３０−１に固着されて前記下接続パイプ３０−４ａの外側に外嵌された支持外筒３０−６、前記矩形断面部３０−３に相対回転可能に外嵌された蓄力プレート３０−７、前記蓄力プレート３０−７の直上に位置し、前記矩形断面部３０−３の断面矩形部に上下方向にスライド可能に外嵌されて当該ネジロッドと一体に回転する固定プレート３０−８、前記支持外筒３０−６の部分に外嵌され、一端が前記蓄力プレート３０−７に、他端が前記基板３０−１にそれぞれ係止されたコイルバネ３０−９とで構成されている。
【００２６】
前記蓄力プレート３０−７は、前記図１〜図７に示す第１自動隙間調整機構付き床束装置１０の蓄力プレート１０−７と同様、短寸の内筒部３０−７ａと外筒部３０−７ｂとからなり、かつ内外筒部が底板でつながった構造の二重筒体で構成され、かつ外周の対称位置には回転操作用の突出凹部（図示せず）が形成され、外筒部３０−７ｂの上面に前記固定プレート３０−８に回転を伝えるための斜面付き突起３０−７ｄが２個形成されている。一方、前記固定プレート３０−８には、前記蓄力プレート３０−７に形成した斜面付き突起３０−７ｄが係合離脱する円弧状係止孔（図示せず）が４個同一円周上に設けられている。
すなわち、この装置は、蓄力プレート３０−７の斜面付き突起３０−７ｄを固
定プレート３０−８の円弧状係止孔に係合させた状態で蓄力プレート３０−７を時針方向に回転させると、固定プレート３０−８および矩形断面部３０−３を介してネジロッド３０−２が同じ方向に回転し、反対に蓄力プレート３０−７を前記コイルバネ３０−９に抗して反時針方向に回転させると斜面付き突起３０−７ｄの斜面の作用により前記回転部材３０−２との回転力が解除されるとともに、前記コイルバネ３０−９が蓄力されるワンウェイクラッチ機構を備えている。
【００２７】
上記構成の第３自動隙間調整機構付き床束装置３０の場合は、蓄力プレート３０−７の斜面付き突起３０−７ｄが固定プレート３０−８の円弧状係止孔に係合した状態において、矩形断面部３０−３を時針方向に回転させるとネジロッド３０−２と下接続パイプ３０−４ａおよび上接続パイプ３０−４ｂの螺合により
床束の全高が高くなり大引き１と基礎４間で突張る。この時、矩形断面部３０−３およびネジロッド３０−２と固定プレート３０−８は同じ時針方向に一体回転するが、前記蓄力プレート３０−７の斜面付き突起３０−７ｄの斜面の作用により固定プレート３０−８は上昇し回転力が解除され、コイルバネ３０−９には回転力は伝達されない。次に、蓄カプレート３０−７をコイルバネ３０−９に抗して反時針方向に回転させると、斜面付き突起３０−７ｄの斜面の作用により固定プレート３０−８が上昇し、さらに蓄カプレート３０−７を回転させることにより斜面付き突起３０−７ｄと固定プレート３０−８の円弧状係止孔（図示せず）が回転方向で一致すると、固定プレート３０−８は蓄カプレート３０−７の斜面付き突起３０−７ｄと係合可能な高さまで下降し、蓄カプレート３０−７の斜面付き突起３０−７ｄの垂直面と固定プレート３０−８の円弧状係止孔が係合することにより、蓄カプレート３０−７を回動させた角度分コイルバネ３０−９が蓄力される。
したがって、大引き１が木痩せにより収縮し隙問が生じた場合、コイルバネ３０−９の蓄力が固定プレート３０−８を介してネジロッド式回転部材３０−２を時針方向に回転させ当該床束の全高を高くする。つまり、コイルバネ３０−９の蓄力によりネジロッド３０−２に大引き受け３０−５を大引き１に押圧させるための回転力が常に付与されることにより、木痩せによる隙間を自動的に解消することができる。
【００２８】
次に、図１４に示す第４自動隙間調整機構付き床束装置４０は、前記図１３に示す第３自動隙間調整機構付き床束装置３０と同じネジロッド型床束装置であるが、その構造は、基礎４に固定された基板（設置プレート）４０−１、左雄ネジ付き下端部が前記基板４０−１に固着された下接続パイプ４０−４ａに螺着され、右雄ネジ付き上端部が大引き受け（受けプレート）４０−５に固着された上接続パイプ４０−４ｂに螺着されたネジロッド４０−２、前記ネジロッド４０−２の中間部に形成された矩形断面の部４０−３、基板４０−１に固着されて前記下接続パイプ４０−４ａの外側に外嵌された支持外筒４０−６、前記支持外筒４０−６に上下方向にスライド可能に外嵌され、基板４０−１上に摺接可能に載置された蓄力プレート４０−７、前記矩形断面部４０−３に外嵌固着されて当該ナットと一体に回転する固定プレート４０−８、前記支持外筒４０−６の部分に外嵌され、一端が前記蓄力プレート４０−７に、他端が前記固定プレート４０−８にそれぞれ係止されたコイルバネ４０−９とで構成されている。
【００２９】
この床束装置４０における蓄力プレート４０−７およびワンウェイクラッチ機構は、前記図８〜図１２に示す第２自動隙間調整機構付き床束装置２０と同様、蓄力プレート４０−７（２０−７）を反時針方向に回転させると、基板４０−１に形成した斜面付き突起（図示せず）（２０−１ａ）を蓄力プレート４０−７に設けられた円弧状係止孔（図示せず）（２０−７ｃ）が係合して回転を阻止し、蓄力プレート４０−７を時針方向に回転させると斜面付き突起（図示せず）（２０−１ａ）の斜面の作用により前記コイルバネ４０−９が蓄力される仕組みとなっている。
【００３０】
上記構成の第４自動隙間調整機構付き床束装置４０の場合は、図１４に示す状態において、筒形ナット４０−３を時針方向に回転させると床束の全高が高くなり大引き１と基礎４間で突張る。この時、筒形ナット４０−３と固定プレート４０−８は同じ時針方向に一体回転するが、前記基板４０−１に形成した斜面付き突起（図示せず）（２０−１ａ）の斜面の作用により蓄力プレート４０−７が上昇し回転力が解除され、コイルバネ４０−９には回転力は伝達されない。次に、蓄カプレート４０−７をコイルバネ４０−９に抗して時針方向に回転させると、基板４０−１に形成した斜面付き突起の斜面の作用により当該蓄カプレート４０−７が上昇し、さらに蓄カプレート４０−７を回転させることにより斜面付き突起と円弧状係止孔（図示せず）（２０−７ｃ）が回転方向で一致すると、蓄カプレート４０−７は基板４０−１に形成した斜面付き突起と係合可能な高さまで下降し、斜面付き突起の垂直面と蓄カプレート４０−７の円弧状係止孔が係合することにより、蓄カプレート４０−７を回動させた角度分コイルバネ４０−９が蓄力される。
したがって、大引き１が木痩せにより収縮し隙問が生じても、コイルバネ４０−９の蓄力が固定プレート４０−８を介してネジロッド式回転部材４０−２を時針方向に回転させ当該床束の全高を高くするので、ネジロッド４０−２に大引き受け４０−５を大引き１に押圧させるための回転力が常に付与されることとなり、木痩せによる隙間が自動的に解消される。
【００３１】
また、図１５〜図１７に示す第５自動隙間調整機構付き床束装置５０は、回転ネジロッドを回転させることにより高さ調整可能なネジロッド型床束装置において、予め弾性体に蓄力させる方式で、基礎４に固定された基板（設置プレート）５０−１、前記基板５０−１に螺着され、一端に左雄ネジ、他端に右雄ネジが形成されたネジロッド５０−２、前記ネジロッド５０−２に螺着された支持筒体５０−３、前記支持筒体５０−３の先端に固着された大引き受け（受けプレート）５０−４、前記ネジロッド５０−２に外嵌され、一端が基板５０−１に、他端が前記ネジロッド５０−２にそれぞれ係止されたコイルバネ５０−５、前記ネジロッド５０−２を前記基板５０−１に固定する止めピン５０−６とで蓄力保持機構を構成したものである。
【００３２】
前記基板５０−１は、断面形状が帽子形で、中央の突出部５０−１ａの中心部に固着されたナット５０−１ｂにネジロッド５０−２が螺着され、かつ該突出部５０−１ａとネジロッド５０−２に穿設した横孔５０−１ｃ、５０−２ａに止めピン５０−６を貫通させて両者を固定し回転力を保持することが可能な構成となっている。
【００３３】
また、前記コイルバネ５０−５の係止手段は、一端をネジロッド５０−２に穿設した孔５０−３に貫通させて係止し、他端を基板５０−１の中央の突出部５０−１ａに穿設した孔５０−１ｄに貫通させて係止する手段を用いた。
【００３４】
上記構成の第５自動隙間調整機構付き床束装置５０の場合は、施工時、ネジロッド５０−２をコイルバネ５０−５に抗して時針方向にある角度回転させて当該ネジロッド５０−２と基板５０−１の中央の突出部５０−１ａに穿設した横孔５０−１ｃ、５０−２ａに止めピン５０−６を貫通させて両者を固定し回転力を保持した状態で、大引き受け５０−４が取着された支持筒体５０−３をネジロッド５０−２にネジ込み、必要な高さまでネジで調整した後、大引き受け５０−４を釘等にて大引き１に固定する。基板５０−１は接着剤等にて基礎４へ固定される。しかる後、前記止めピン５０−６を抜き、蓄力されたコイルバネ５０−５の回転力を開放すると、常時該コイルバネ５０−５の放出力がネジロッド５０−２に反時計回りに発生し、大引き受け５０−４を大引き１に押圧させるための回転力が該ネジロッド５０−２に付与されることとなり、木痩せによる隙間が自動的に解消される。
【００３５】
なお、上記した本発明の自動隙間調整機構付き床束装置１０、２０、３０、４０、５０においては、弾性体としてコイルバネを採用したが、これに限定されるものではなく、例えばゼンマイバネ、ゴム等に置き換えることも可能であることはいうまでもない。また、前記自動隙間調整機構付き床束装置１０、２０、３０、４０における各ワンウェイクラッチ機構は、ここでは当該床束装置の中間部また基板側に設けた場合を示したが、このワンウェイクラッチ機構は基板側と反対側の大引き側にも設置可能であり、さらに、自動隙間調整機構付き床束装置５０の弾性体および蓄力保持機構についても同様、基板側のみならず大引き側にも設置可能であることはいうまでもない。
【産業上の利用可能性】
【００３６】
本発明に係る自動隙間調整機構付き床束装置は、床束に限らず、各種建築構造物の施工や土木工事等におけるジャッキとしても利用することが可能である。
【図面の簡単な説明】
【００３７】
【図１】本発明の第１実施例装置を示す正面図である。
【図２】同上装置の縦断面図である。
【図３】同上装置の動作状態を示す正面図である。
【図４】図１のＡ−Ａ線上の横断平面図である。
【図５】図１のＢ−Ｂ線上の横断平面図である。
【図６】図３のＣ−Ｃ線上の横断平面図である。
【図７】同上装置のワンウェイクラッチ機構を示す説明図で、（イ）は蓄力プレートの斜面付き突起が固定プレートの円弧状係止孔に係合した状態、（ロ）は蓄力プレートの斜面付き突起の斜面の作用により固定プレートが上昇している状態、（ハ）は蓄力プレートの斜面付き突起により固定プレートが完全に上昇して支持されている状態をそれぞれ示す。
【図８】本発明の第２実施例装置を示す正面図である。
【図９】同上装置の縦断面図である。
【図１０】図９のＤ−Ｄ線上の横断平面図である。
【図１１】図９のＥ−Ｅ線上の横断平面図である。
【図１２】同上装置のワンウェイクラッチ機構を示す説明図で、（イ）は基板の斜面付き突起が蓄力プレートの円弧状係止孔に係合した状態、（ロ）は基板の斜面付き突起の斜面の作用により蓄力プレートが上昇している状態、（ハ）は基板の斜面付き突起により蓄力プレートが完全に上昇して支持されている状態をそれぞれ示す。
【図１３】本発明の第３実施例装置を示す縦断面図である。
【図１４】本発明の第４実施例装置を示す縦断面図である。
【図１５】本発明の第５実施例装置を示す正面図である。
【図１６】同上装置の縦断面図である。
【図１７】図１４のＦ−Ｆ線上の横断平面図である。
【図１８】従来のターンバックル型床束の一例を示す縦断面図である。
【図１９】従来のネジロッド型床束の一例を示す縦断面図である。
【符号の説明】
【００３８】
１  大引き
２  根太
３  床板
４  基礎
１０  第１自動隙間調整機構付き床束装置
１０−１  基板
１０−２  ターンバックル式回転部材
１０−３  左雄ネジ付き下ボルト
１０−４  右雄ネジ付き上ボルト
１０−５  大引き受け
１０−６  支持外筒
１０−７  蓄力プレート
１０−８  固定プレート
１０−９  コイルバネ
２０  第２自動隙間調整機構付き床束装置
２０−１  基板
２０−２  ターンバックル式回転部材
２０−３  左雄ネジ付き下ボルト
２０−４  右雄ネジ付き上ボルト
２０−５  大引き受け
２０−６  支持外筒
２０−７  蓄力プレート
２０−８  固定プレート
２０−９  コイルバネ
３０  第３自動隙間調整機構付き床束装置
３０−１  基板
３０−２  ネジロッド
３０−３  矩形断面部
３０−４ａ  下接続パイプ
３０−４ｂ  上接続パイプ
３０−５  大引き受け
３０−６    支持外筒
３０−７  蓄力プレート
３０−８  固定プレート
３０−９  コイルバネ
４０  第４自動隙間調整機構付き床束装置
４０−１  基板
４０−２  ネジロッド
４０−３  矩形断面部
４０−４ａ  下接続パイプ
４０−４ｂ  上接続パイプ
４０−５  大引き受け
４０−６  支持外筒
４０−７  蓄力プレート
４０−８  固定プレート
４０−９  コイルバネ
５０  第５自動隙間調整機構付き床束装置
５０−１  基板
５０−２  ネジロッド
５０−３  支持筒体
５０−４  大引き受け
５０−５  コイルバネ
５０−６  止めピン
【図１】
2005248449.tif 000003
【図２】
2005248449.tif 000004
【図３】
2005248449.tif 000005
【図４】
2005248449.tif 000006
【図５】
2005248449.tif 000007
【図６】
2005248449.tif 000008
【図７】
2005248449.tif 000009
【図８】
2005248449.tif 000010
【図９】
2005248449.tif 000011
【図１０】
2005248449.tif 000012
【図１１】
2005248449.tif 000013
【図１２】
2005248449.tif 000014
【図１３】
2005248449.tif 000015
【図１４】
2005248449.tif 000016
【図１５】
2005248449.tif 000017
【図１６】
2005248449.tif 000018
【図１７】
2005248449.tif 000019
【図１８】
2005248449.tif 000020
【図１９】
2005248449.tif 000021